(57)【要約】【課題】  所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機を提供することを目的とする。【解決手段】  所定枚数の紙幣を集積する紙幣集積部２０と、紙幣集積部によって集積された所定枚数の紙幣の周囲に、ＩＣチップとアンテナを内蔵したインレットが形成された結束テープＴを巻回して、帯封処理を施し、紙幣束を生成する帯封処理部３１と、紙幣に書き込まれたＲＦＩＤデータを読み取るＲＦＩＤリーダー１０ｂと、結束テープのインレット中のＩＣチップにＲＦＩＤデータを書き込むＲＦＩＤライター３５とを備えたことを特徴とする紙幣処理機。【選択図】      図１
2007122120.tif 000002
【特許請求の範囲】
【請求項１】
所定枚数の紙幣を集積する紙幣集積部と、前記紙幣集積部によって集積された所定枚数の紙幣の周囲に、ＩＣチップとアンテナを内蔵したインレットが形成された結束テープを巻回して、帯封処理を施し、紙幣束を生成する帯封処理部と、紙幣に書き込まれたＲＦＩＤデータを読み取るＲＦＩＤリーダーと、前記結束テープの前記インレット中のＩＣチップにＲＦＩＤデータを書き込むＲＦＩＤライターとを備えたことを特徴とする紙幣処理機。
【請求項２】
紙幣に書き込まれた前記ＲＦＩＤデータが、少なくとも、その紙幣を特定するＩＤデータと、その紙幣の金種を特定する金種データを含んでいることを特徴とする請求項１に記載の紙幣処理機。
【請求項３】
前記ＲＦＩＤライターによって、前記結束テープの前記インレット中のＩＣチップに書き込まれるＲＦＩＤデータが、少なくとも、紙幣束を構成する紙幣を特定するＩＤデータと、紙幣束を構成する紙幣の枚数および金種を特定するデータを含んでいることを特徴とする請求項１または２に記載の紙幣処理機。
【請求項４】
前記帯封処理部、前記ＲＦＩＤライターおよび前記ＲＦＩＤライターの近傍の前記結束テープの搬送路が、前記ＲＦＩＤライターから発信される周波数の電波を遮蔽するケーシングによって覆われていることを特徴とする請求項１ないし３のいずれか１項に記載の紙幣処理機。
【請求項５】
さらに、紙幣をセットする紙幣入金口と、前記紙幣入金口と前記紙幣集積部との間の搬送路に、少なくとも紙幣の光学データを検出する光学センサ手段を備え、前記紙幣入金口にセットされた紙幣を判別する紙幣判別ユニットを備えたことを特徴とする請求項１ないし４のいずれか１項に記載の紙幣処理機。
【請求項６】
さらに、紙幣束を生成すべき紙幣の金種を指定する金種指定信号を入力可能な入力手段と、前記紙幣判別ユニットの判別結果に基づき、前記入力手段に入力された前記金種指定信号によって特定された金種の紙幣のみを、選択的に、前記紙幣集積部に送る選別手段を備えたことを特徴とする請求項５に記載の紙幣処理機。
【請求項７】
前記ＲＦＩＤリーダーが、前記紙幣入金口と、前記帯封処理部との間の搬送路に設けられ、前記ＲＦＩＤリーダーと、前記ＲＦＩＤリーダーの近傍の搬送路が、前記ＲＦＩＤリーダーから発信される周波数の電波を遮蔽するケーシングによって覆われていることを特徴とする請求項５または６に記載の紙幣処理機。
【請求項８】
前記ＲＦＩＤリーダーが、前記紙幣判別ユニット内に設けられ、前記紙幣判別ユニットが、前記ＲＦＩＤリーダーから発信される周波数の電波を遮蔽するケーシングによって覆われていることを特徴とする請求項５ないし７のいずれか１項に記載の紙幣処理機。
【請求項９】
前記ＲＦＩＤリーダーが、前記帯封処理部内に設けられ、前記帯封処理部の前記ケーシングが、前記ＲＦＩＤリーダーから発信される周波数の電波を遮蔽する性質を有していることを特徴とする請求項４ないし６のいずれか１項に記載の紙幣処理機。
【請求項１０】
前記ＲＦＩＤライターが、前記紙幣集積部によって集積された所定枚数の紙幣の周囲に、前記結束テープを巻回して、帯封処理を施し、紙幣束を生成するのに先立って、前記結束テープの前記インレット中のＩＣチップにＲＦＩＤデータを書き込むように構成されたことを特徴とする請求項１ないし９のいずれか１項に記載の紙幣処理機。
【請求項１１】
前記ＲＦＩＤライターが、前記紙幣集積部によって集積された所定枚数の紙幣の周囲に、前記結束テープを巻回して、帯封処理を施し、紙幣束を生成した後に、前記結束テープの前記インレット中のＩＣチップにＲＦＩＤデータを書き込むように構成されたことを特徴とするないし９のいずれか１項に記載の紙幣処理機。
【請求項１２】
前記結束テープに、前記インレットが所定の間隔で形成されていることを特徴とする請求項１ないし１１のいずれか１項に記載の紙幣処理機。
【請求項１３】
前記インレットが、前記結束テープに一体的に形成されていることを特徴とする請求項１ないし１２のいずれか１項に記載の紙幣処理機。
【請求項１４】
前記インレットが、埋め込み、貼り付けおよび印刷よりなる群から選ばれる方法によって、前記結束テープに一体的に形成されていることを特徴とする請求項１３に記載の紙幣処理機。
【請求項１５】
前記インレットが、前記インレットが一体的に形成されたラベルを、前記結束テープに貼り付けることによって、前記結束テープに形成されていることを特徴とする請求項１ないし１２のいずれか１項に記載の紙幣処理機。
【発明の詳細な説明】
【技術分野】
【０００１】
本発明は、紙幣処理機に関するものであり、さらに詳細には、所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機に関するものである。
【背景技術】
【０００２】
オペレータによって、紙幣入金口に投入された紙幣を、１枚ずつ、内部に取り込んで、現に流通している真正な紙幣か否かおよび紙幣の金種を判別し、真正な紙幣で、かつ、オペレータによって指定された金種の紙幣のみを重ね合わせて、所定枚数の紙幣を含む紙幣束を生成し、生成された紙幣束の略中央部に、結束テープを巻回して、帯封処理が施された紙幣束を生成するように構成された紙幣処理機が知られている（たとえば、特許第２６３５２５４号明細書など。）。
【発明の開示】
【発明が解決しようとする課題】
【０００３】
かかる従来の紙幣処理機により、生成された紙幣束は、単に、所定枚数の紙幣を含む紙幣束の略中央部に、結束テープを巻回して、帯封処理が施されただけのもので、帯封処理が施された紙幣束からは、所定枚数の紙幣束に帯封処理を施す権限を有する機関によって、真正に生成されたものか否かを判別することが不可能であり、また、紙幣束に含まれる紙幣の枚数を実際に数えない限り、帯封処理が施された紙幣束が所定枚数の紙幣を含んでいるか否かも判別することができないため、帯封処理が施されていても、紙幣束を所望のように管理することができないという問題があった。
【０００４】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００５】
しかしながら、ＲＦＩＤシステムを利用して、紙幣処理機や紙幣束生成機をどのように構成するかについての具体的な提案はほとんどなされていなかった。
【０００６】
したがって、本発明は、所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機を提供することを目的とするものである。
【課題を解決するための手段】
【０００７】
本発明のかかる目的は、所定枚数の紙幣を集積する紙幣集積部と、前記紙幣集積部によって集積された所定枚数の紙幣の周囲に、ＩＣチップとアンテナを内蔵したインレットが形成された結束テープを巻回して、帯封処理を施し、紙幣束を生成する帯封処理部と、紙幣に書き込まれたＲＦＩＤデータを読み取るＲＦＩＤリーダーと、前記結束テープの前記インレット中のＩＣチップにＲＦＩＤデータを書き込むＲＦＩＤライターとを備えたことを特徴とする紙幣処理機によって達成される。
【０００８】
本発明によれば、紙幣処理機は、紙幣に書き込まれたＲＦＩＤデータを読み取るＲＦＩＤリーダーと、結束テープのインレット中のＩＣチップにＲＦＩＤデータを書き込むＲＦＩＤライターとを備えているから、ＲＦＩＤリーダーによって、紙幣に一体的に形成されたインレット中のＩＣチップに書き込まれた紙幣のＩＤデータ、金種データなどのＲＦＩＤデータを読み取り、ＲＦＩＤライターによって、結束テープのインレット中のＩＣチップに、帯封処理を施した紙幣の枚数、帯封処理を施した日時、帯封処理を施した金融機関名、帯封処理の実行者などの帯封処理に関するＲＦＩＤデータとともに、ＲＦＩＤリーダーによって読み取られた紙幣束を構成する紙幣のＩＤデータ、金種データなどの紙幣に関するＲＦＩＤデータを書き込むことができ、したがって、所望のように管理可能な紙幣束を生成することが可能になる。
【０００９】
本発明の好ましい実施態様においては、紙幣に書き込まれた前記ＲＦＩＤデータが、少なくとも、その紙幣を特定するＩＤデータと、その紙幣の金種を特定する金種データを含んでいる。
【００１０】
本発明の好ましい実施態様においては、前記ＲＦＩＤライターによって、前記結束テープの前記インレット中のＩＣチップに書き込まれるＲＦＩＤデータが、少なくとも、紙幣束を構成する紙幣を特定するＩＤデータと、紙幣束を構成する紙幣の枚数および金種を特定するデータを含んでいる。
【００１１】
本発明の好ましい実施態様によれば、ＲＦＩＤライターによって、結束テープのインレット中のＩＣチップに書き込まれるＲＦＩＤデータが、少なくとも、紙幣束を構成する紙幣を特定するＩＤデータと、紙幣束を構成する紙幣の枚数および金種を特定するデータを含んでいるから、結束テープのインレット中のＩＣチップに書き込まれたＲＦＩＤデータを読み取ることによって、紙幣束に含まれている紙幣の金種、枚数およびＩＤ番号を知ることができ、紙幣束を所望のように管理することが可能になるとともに、紙幣束の生成後に、紙幣束から、紙幣が抜き取られた場合に、抜き取られた紙幣を容易に特定することができる。
【００１２】
本発明のさらに好ましい実施態様においては、前記ＲＦＩＤライターが、前記帯封処理部内に設けられ、前記帯封処理部が、前記ＲＦＩＤライターから発信される周波数の電波を遮蔽するケーシングによって覆われている。
【００１３】
本発明のさらに好ましい実施態様においては、紙幣処理機は、さらに、紙幣をセットする紙幣入金口と、前記紙幣入金口と前記紙幣集積部との間の搬送路に、少なくとも紙幣の光学データを検出する光学センサ手段を備え、前記紙幣入金口にセットされた紙幣を判別する紙幣判別ユニットを備えている。
【００１４】
本発明のさらに好ましい実施態様においては、紙幣処理機は、さらに、紙幣束を生成すべき紙幣の金種を指定する金種指定信号を入力可能な入力手段と、前記紙幣判別ユニットの判別結果に基づき、前記入力手段に入力された前記金種指定信号によって特定された金種の紙幣のみを、選択的に、前記紙幣集積部に送る選別手段を備えている。
【００１５】
本発明のさらに好ましい実施態様においては、前記ＲＦＩＤリーダーが、前記紙幣入金口と、前記帯封処理部との間の搬送路に設けられ、前記ＲＦＩＤリーダーと、前記ＲＦＩＤリーダーの近傍の搬送路が、前記ＲＦＩＤリーダーから発信される周波数の電波を遮蔽するケーシングによって覆われている。
【００１６】
本発明のさらに好ましい実施態様においては、前記ＲＦＩＤリーダーが、前記紙幣判別ユニット内に設けられ、前記紙幣判別ユニットが、前記ＲＦＩＤリーダーから発信される周波数の電波を遮蔽するケーシングによって覆われている。
【００１７】
本発明のさらに好ましい実施態様によれば、ＲＦＩＤリーダーが、紙幣入金口にセットされた紙幣を判別する紙幣判別ユニット内に設けられているから、ＲＦＩＤリーダーが検出したＲＦＩＤデータに基づいて、紙幣入金口に投入された紙幣の金種を暫定的に決定し、光学センサ手段によって検出された紙幣の光学データと、暫定的に決定された紙幣の金種に対応する金種の紙幣の基準光学データとを比較することによって、紙幣が、真正でかつ現に流通している紙幣か否か、真正でかつ現に流通している紙幣である場合は、その金種および汚損のレベルを判別することができ、したがって、紙幣処理機に投入された紙幣の判別に要する時間を大幅に短縮することが可能になるとともに、紙幣処理機に投入された紙幣の判別精度を大幅に向上させることが可能になる。
【００１８】
本発明の別の好ましい実施態様においては、前記ＲＦＩＤリーダーが、前記帯封処理部内に設けられ、前記帯封処理部の前記ケーシングが、前記ＲＦＩＤリーダーから発信される周波数の電波を遮蔽する性質を有している。
【００１９】
本発明のさらに好ましい実施態様においては、前記ＲＦＩＤライターが、前記紙幣集積部によって集積された所定枚数の紙幣の周囲に、前記結束テープを巻回して、帯封処理を施し、紙幣束を生成するのに先立って、前記結束テープの前記インレット中のＩＣチップにＲＦＩＤデータを書き込むように構成されている。
【００２０】
本発明の別の好ましい実施態様においては、前記ＲＦＩＤライターが、前記紙幣集積部によって集積された所定枚数の紙幣の周囲に、前記結束テープを巻回して、帯封処理を施し、紙幣束を生成した後に、前記結束テープの前記インレット中のＩＣチップにＲＦＩＤデータを書き込むように構成されている。
【００２１】
本発明のさらに好ましい実施態様においては、前記結束テープに、前記インレットが所定の間隔で形成されている。
【００２２】
本発明のさらに好ましい実施態様においては、前記インレットが、前記結束テープに一体的に形成されている。
【００２３】
本発明のさらに好ましい実施態様においては、前記インレットが、埋め込み、貼り付けおよび印刷よりなる群から選ばれる方法によって、前記結束テープに一体的に形成されている。
【００２４】
本発明の別の好ましい実施態様においては、前記インレットが、前記インレットが一体的に形成されたラベルを、前記結束テープに貼り付けることによって、前記結束テープに形成されている。
【発明の効果】
【００２５】
本発明によれば、所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機を提供することが可能になる。
【発明を実施するための最良の形態】
【００２６】
以下、添付図面に基づいて、本発明の好ましい実施態様につき、詳細に説明を加える。
【００２７】
図１は、本発明の好ましい実施態様にかかる紙幣処理機の略縦断面図である。
【００２８】
本実施態様にかかる紙幣処理機は、銀行などの金融機関内で使用される紙幣帯封機として構成されており、紙幣束を構成する紙幣には、紙幣の発行権限を有する機関によって、インレットが一体的に形成され、インレット中のＩＣチップに、紙幣のＩＤデータ、紙幣の金種データなどのＲＦＩＤデータが、特定のフォーマットで、記録されている。ここに、紙幣に一体的に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００２９】
本実施態様にかかる紙幣処理機は、オペレータによって指定された金種の紙幣を重ね合わせて、所定枚数の紙幣を含む紙幣束を生成し、生成された紙幣束に、結束テープを巻回して、帯封処理が施された紙幣束を生成するように構成されており、図１に示されるように、ハウジング１を備え、ハウジング１の上部には、紙幣束を生成すべき紙幣がセットされる紙幣入金口２と、紙幣束を出金する紙幣束出金口３と、紙幣入金口２にセットされた紙幣のうち、受け入れ不能と判別された紙幣を返却する第一の紙幣返却口４と、紙幣入金口２にセットされた紙幣のうち、受け入れ可能ではあるが、その金種が、オペレータが指定した金種とは異なると判別された真正な紙幣および汚損レベルが所定レベルを超えた汚損紙幣を返却する第二の紙幣返却口５が設けられている。
【００３０】
紙幣入金口２は、重ね合わされた複数枚の紙幣を投入可能に構成されており、図１に示されるように、紙幣入金口２にセットされた紙幣は、繰り出しローラ（図示せず）によって、１枚ずつ、紙幣入金口２から、搬送路９内に繰り出されるように構成されている。
【００３１】
図１に示されるように、搬送路９は、紙幣を判別するためのデータを生成する紙幣判別部１０に接続されている。
【００３２】
紙幣判別部１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、現に流通している真正な紙幣か否か、現に流通している真正な紙幣である場合は、紙幣の金種、汚損のレベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に一体的に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１０のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、現に流通している真正な紙幣か否か、現に流通している真正な紙幣である場合は、紙幣の金種、汚損のレベルおよび紙幣の表裏、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている現に流通している真正な紙幣が金種別に計数されるように構成されている。
【００３３】
このように、紙幣判別部１０は、ＲＦＩＤリーダーを備えているため、ＲＦＩＤリーダーが紙幣判別部１０外に存在する紙幣のＲＦＩＤデータを読み取ることがないように、ＲＦＩＤリーダーから発信される周波数の電波を遮蔽する性質を有する材料によって形成されたケーシング１０ｃによって覆われている。
【００３４】
図１に示されるように、紙幣判別部１０の下流側には、搬送路１１が接続されており、搬送路１１から、第一の紙幣返却口４に接続された分岐搬送路１２が分岐し、分岐搬送路１２の分岐部には、紙幣を、搬送路１１および分岐搬送路１２のいずれかに選択的に導くゲート部材１３が設けられている。
【００３５】
紙幣判別部１０のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１１、ゲート部材１３および分岐搬送路１２を介して、第一の紙幣返却口４に送られて、オペレータに返却される。
【００３６】
さらに、分岐搬送路１２の分岐部の下流側の搬送路１１から、第二の紙幣返却口５に接続された分岐搬送路１４が分岐し、分岐搬送路１４の分岐部には、紙幣を、搬送路１１および分岐搬送路１４のいずれかに選択的に導くゲート部材１５が設けられている。
【００３７】
紙幣判別部１０のセンサユニットによって生成された紙幣の光学データおよび磁気データならびにＲＦＩＤリーダーによって読み取られたＲＦＩＤデータに基づき、１枚ずつ、その短辺が紙幣の搬送方向と平行になるように送られている真正でかつ現に流通している紙幣であるが、その金種が、オペレータが指定した金種とは異なると判別された紙幣は、搬送路１１、ゲート部材１５および分岐搬送路１４を介して、第二の紙幣返却口５に送られて、オペレータに返却される。
【００３８】
図１に示されるように、分岐搬送路１４の分岐部の下流側の搬送路１１には、紙幣の表裏を反転させる表裏反転搬送路１６が接続されて、接続部には、紙幣を、搬送路１１および表裏反転搬送路１６のいずれかに選択的に導くゲート部材１７が設けられている。
【００３９】
表裏反転搬送路１６は、紙幣判別部１０が検出した紙幣のデータに基づいて、紙幣が裏面を上にして搬送されていると判別されたときに、紙幣が表面を上にして搬送されるように、紙幣の表裏を反転させる機能を有し、正逆回転可能な複数のローラ対１８を備えている。
【００４０】
表裏を反転させるべき紙幣は、複数のローラ対１８によって、搬送路１１から表裏反転搬送路１６内に受け入れられた後、複数のローラ対１８が逆転され、搬送路１１に戻されることによって、その表裏が反転される。
【００４１】
図１に示されるように、搬送路１１は、さらに、下流側に延び、紙幣集積部２０に接続されている。
【００４２】
紙幣集積部２０に送られた紙幣は、紙幣集積部２０に設けられた紙幣集積機構（図示せず）によって、紙幣集積部２０内で、集積され、所定枚数の紙幣、たとえば、１００枚の紙幣を含む集積紙幣が生成される。
【００４３】
図１に示されるように、紙幣集積部２０には、紙幣帯封機構３０が接続されており、  紙幣帯封機構３０は、紙幣集積部２０に隣接した位置に、一対の挟持部材３１ａ、３１ｂを有する帯封処理部３１を備え、紙幣集積部２０によって生成された集積紙幣は、紙幣集積部２０に設けられた集積紙幣送出し手段（図示せず）によって、帯封処理部３１に送り出され、帯封処理部３１の一対の挟持部材３１ａ、３１ｂによって、挟持される。
【００４４】
図１に示されるように、紙幣帯封機構３０は、さらに、ＩＣチップとアンテナを含むインレット（図示せず）が、所定の間隔で、一体的に形成された結束テープＴを、帯封処理部３１に供給する結束テープ供給部材３２を備えている。
【００４５】
結束テープ供給部材３２によって、帯封処理部３１に供給された結束テープＴは、帯封処理部３１のテープ巻き付け手段（図示せず）により、一対の挟持部材３１ａ、３１ｂによって挟持された集積紙幣の略中央部に巻き付けられ、カッタ（図示せず）によって切断され、さらに、接着手段（図示せず）によって、集積紙幣の略中央部に巻き付けられて、切断された結束テープＴの両端部が接着され、略中央部に、帯封がされた所定枚数の紙幣、たとえば、１００枚の紙幣を含む紙幣束が生成される。
【００４６】
図１に示されるように、紙幣帯封機構３０は、さらに、結束テープ供給部材３２の近傍に、結束テープＴに一体的に形成されたインレット内のＩＣチップに、生成されるべき紙幣束に含まれる紙幣のＩＤデータ、金種データなどの紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター３５を備えている。
【００４７】
インレットを結束テープＴに一体的に形成する方法としては、結束テープＴ用の紙を抄く際に、結束テープＴ用の紙にインレットを埋め込む方法、結束テープＴにインレットを印刷する方法などが挙げられるが、とくに限定されるものではない。
【００４８】
図１に示されるように、紙幣帯封機構３０の帯封処理部３１、ＲＦＩＤライター３５およびＲＦＩＤライター３５の近傍の結束テープＴの搬送路は、ＲＦＩＤライター３５によって、結束テープＴに一体的に形成されたインレット内のＩＣチップにＲＦＩＤデータを書き込む際に、ＲＦＩＤライター３５から発信される周波数の電波を遮蔽する材料によって形成されたケーシング３６によって覆われている。
【００４９】
図１に示されるように、紙幣帯封機構３０には、帯封処理部３１によって生成された紙幣束を、紙幣束出金口３に導く紙幣束搬送路４０が接続されており、帯封処理部３１の下部には、帯封処理部３１によって生成された紙幣束を、紙幣束搬送路４０に繰り出す紙幣束繰り出し部３８が設けられている。
【００５０】
図２は、図１に示された紙幣処理機の制御系、検出系、駆動系、入力系および表示系を示すブロックダイアグラムである。
【００５１】
図２に示されるように、本実施態様にかかる紙幣処理機の制御系は、紙幣処理機の動作を制御するＣＰＵ５０と、紙幣処理機の制御プログラムなどが格納されたＲＯＭ５１と、各種データを記憶するＲＡＭ５２と、時計５３を備えている。
【００５２】
図２に示されるように、紙幣処理機のＣＰＵ５０は、紙幣束に帯封処理を施す権限を有する金融機関によって、共同管理されている中央管理サーバ５５に接続されている。
【００５３】
図２に示されるように、本実施態様にかかる紙幣処理機の検出系は、紙幣判別部１０を備えている。紙幣判別部１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、汚損のレベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット１０ａと、紙幣に一体的に形成されたインレット中のＩＣチップに記録された紙幣のＩＤデータ、紙幣の金種データなどのＲＦＩＤデータを読み取るＲＦＩＤリーダー１０ｂとを備えている。
【００５４】
図２に示されるように、本実施態様にかかる紙幣処理機の駆動系は、繰り出しローラ（図示せず）を駆動する繰り出しローラ駆動手段６０と、搬送路９、搬送路１１、分岐搬送路１２および分岐搬送路１４内に設けられた搬送ローラ（図示せず）を駆動する搬送ローラ駆動手段６１と、表裏反転搬送路１６に設けられた複数のローラ対１８を駆動するローラ対駆動手段６２と、ゲート部材１３を駆動するソレノイド６３と、ゲート部材１５を駆動するソレノイド６４と、ゲート部材１７を駆動するソレノイド６５と、紙幣集積部２０の紙幣集積機構６６と、紙幣集積部２０の集積紙幣送出し手段６７と、紙幣帯封機構３０の帯封処理部３１の一対の挟持部材３１ａ、３１ｂを相対的に移動させるモータ６８と、結束テープ供給部材３２を駆動するモータ６９と、紙幣帯封機構３０のカッタ（図示せず）を駆動するソレノイド７０と、紙幣帯封機構３０の接着手段（図示せず）を駆動するソレノイド７１と、帯封処理部３１のテープ巻き付け手段（図示せず）を駆動するモータ７２と、紙幣帯封機構３０のＲＦＩＤライター３５を駆動するＲＦＩＤライター駆動手段７３と、紙幣束繰り出し部３８を駆動するモータ７４と、紙幣束搬送路４０内に設けられた搬送ローラ（図示せず）を駆動する搬送ローラ駆動手段７５を備えている。
【００５５】
図２に示されるように、本実施態様にかかる紙幣処理機の入力系は、オペレータによって操作され、種々の指示信号が入力されるキーボード８０を備えており、紙幣処理機の表示系は、紙幣の計数結果などを表示するディスプレイ８５を備えている。
【００５６】
以上のように構成された本実施態様にかかる紙幣処理機は、以下のようにして、紙幣入金口２に投入された紙幣のうち、オペレータによって指定された金種の紙幣を選別して、所定枚数だけ、たとえば、１００枚だけ、集積し、集積された紙幣の略中央部に、結束テープＴを巻回して、集積紙幣に帯封処理を施し、所定枚数の紙幣、たとえば、１００枚の紙幣を含む紙幣束を生成する。
【００５７】
まず、オペレータによって、紙幣が、紙幣入金口２内にセットされる。
【００５８】
次いで、オペレータによって、紙幣束の生成を指示する紙幣束生成信号とともに、紙幣束を生成すべき紙幣の金種、紙幣束に含まれるべき紙幣の枚数および生成すべき紙幣束の数を特定する紙幣束データならびに金融機関名、支店名、紙幣処理機のＩＤデータならびにオペレータの名前などの帯封処理に関するデータがキーボード８０に入力される。
【００５９】
オペレータによって入力された紙幣束生成信号は、紙幣束データおよび帯封処理に関するデータとともに、ＣＰＵ５０に出力され、オペレータによって入力された紙幣束生成信号、紙幣束データおよび帯封処理に関するデータを受けると、ＣＰＵ５０は、オペレータによって入力された紙幣束データおよび帯封処理に関するデータを、ＲＡＭ５２の生成すべき紙幣束に関するデータを格納するメモリ領域に書き込むとともに、繰り出しローラ駆動手段６０、搬送ローラ駆動手段６１および紙幣集積部２０の紙幣集積機構６６に駆動信号を出力して、繰り出しローラ（図示せず）、搬送路９、搬送路１１、分岐搬送路１２および分岐搬送路１４内に設けられた搬送ローラ（図示せず）ならびに紙幣集積部２０の紙幣集積機構６６を駆動する。
【００６０】
その結果、紙幣入金口２にセットされた紙幣は、繰り出しローラによって、１枚ずつ、搬送路９内に繰り出され、紙幣判別部１０に送られる。
【００６１】
紙幣判別部１０においては、センサユニット１０ａによって、紙幣の光学データおよび磁気データが読み取られるとともに、ＲＦＩＤリーダー１０ｂによって、紙幣に一体的に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【００６２】
ＣＰＵ５０は、紙幣判別部１０のＲＦＩＤリーダー１０ｂから入力されたＲＦＩＤデータを、ＲＡＭ５２の入金された紙幣に関するデータを格納するメモリ領域に書き込むとともに、ＲＡＭ５２に書き込まれたＲＦＩＤデータに基づいて、紙幣が、現に流通している真正な紙幣か否かおよび紙幣の金種を暫定的に判別する。
【００６３】
ここに、紙幣のＩＤデータ、紙幣の金種データなどのＲＦＩＤデータは、紙幣の発行権限を有する機関によって、特定のフォーマットで、インレット中のＩＣチップに記録されているから、ＣＰＵ５０は、紙幣判別部１０のＲＦＩＤリーダー１０ｂから入力されたＲＦＩＤデータに基づいて、紙幣が、現に流通している真正な紙幣か否かを判別し、その金種を判別することができる。
【００６４】
その結果、紙幣のＲＦＩＤデータに基づいて、紙幣判別部１０によって検出された紙幣が、現に流通している真正な紙幣ではないと判別したときは、ＣＰＵ５０は、判別結果をＲＡＭ５２の入金された紙幣に関するデータを格納するメモリ領域に書き込み、これに対して、紙幣のＲＦＩＤデータに基づいて、紙幣が、現に流通している真正な紙幣と判別したときは、ＣＰＵ５０は、紙幣のＲＦＩＤデータに基づいて、紙幣の金種を暫定的に決定し、さらに、暫定的に決定した紙幣の金種に対応する金種の紙幣の基準透過光データ、表面の基準光学データおよび基準磁気データをＲＯＭ５１から読み出す。
【００６５】
次いで、ＣＰＵ５０は、光学センサ手段の透過光センサが検出した紙幣の透過光データと、暫定的に決定した金種の紙幣の基準透過光データとを比較し、まず、紙幣が１枚ずつ送られているか否かを判別する。
【００６６】
その結果、光学センサ手段の透過光センサが検出した紙幣の透過光データと、暫定的に決定した金種の紙幣の基準透過光データとが、実質的に一致していないと判別したときは、ＣＰＵ５０は、２枚以上の紙幣が、全部あるいはその一部が重なり合って、送られていると判別し、判別結果をＲＡＭ５２の入金された紙幣に関するデータを格納するメモリ領域に書き込む。
【００６７】
これに対して、光学センサ手段の透過光センサが検出した紙幣の透過光データと、暫定的に決定した金種の紙幣の基準透過光データとが、実質的に一致していると判別したときは、ＣＰＵ５０は、その紙幣が、１枚ずつ搬送されていると判別し、さらに、紙幣判別部１０のセンサユニット１０ａから入力された紙幣の光学データおよび磁気データを、ＲＯＭ５１から読み出した紙幣の基準光学データおよび基準磁気データと比較し、紙幣の金種、汚損レベルおよび表裏ならびに紙幣の短辺が紙幣の搬送方向と平行になるように送られているか否かを判別する。
【００６８】
すなわち、光学センサ手段の反射光センサが検出した紙幣の表面パターンデータと、暫定的に決定した金種の紙幣の表面の基準表面パターンデータとを比較した結果、両者の差が第一のしきい値以下と判定したときは、ＣＰＵ５０は、紙幣判別部１０によって検出された紙幣は、ＲＦＩＤデータに基づいて暫定的に決定した金種の紙幣であると最終的に判別するとともに、紙幣が、１枚ずつ、表面を上にして、短辺が紙幣の搬送方向と平行になるように送られていると判別し、判別結果をＲＡＭ５２の入金された紙幣に関するデータを格納するメモリ領域に書き込む。
【００６９】
一方、光学センサ手段の反射光センサが検出した紙幣の表面パターンデータと、ＲＯＭ５１から読み出した暫定的に決定した紙幣の金種に対応する金種の紙幣の表面の基準光学データとの差が、第一のしきい値以上を超えているが、第一のしきい値よりも大きい第二のしきい値以下であると判定したときは、ＣＰＵ５０は、紙幣判別部１０によって検出された紙幣は、ＲＦＩＤデータに基づいて暫定的に決定した金種の紙幣で、１枚ずつ、表面を上にして、短辺が紙幣の搬送方向と平行になるように送られているが、汚損レベルが所定レベルを超えた汚損紙幣であると判別して、判別結果をＲＡＭ５２の入金された紙幣に関するデータを格納するメモリ領域に書き込む。
【００７０】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、さらに、暫定的に決定した紙幣の金種に対応する金種の紙幣の裏面の基準光学データをＲＯＭ５１から読み出して、光学センサ手段の反射光センサが検出した紙幣の表面パターンデータと比較する。
【００７１】
その結果、両者の差が第三のしきい値以下と判定したときは、ＣＰＵ５０は、紙幣判別部１０によって検出された紙幣は、ＲＦＩＤデータに基づいて暫定的に決定した金種の紙幣であると最終的に判別するとともに、紙幣が、裏面を上にして、１枚ずつ、短辺が紙幣の搬送方向と平行になるように送られていると判別し、判別結果をＲＡＭ５２の入金された紙幣に関するデータを格納するメモリ領域に書き込む。
【００７２】
これに対して、光学センサ手段の反射光センサが検出した紙幣の表面パターンデータと、ＲＯＭ５１から読み出した暫定的に決定した紙幣の金種に対応する金種の紙幣の裏面の基準光学データとの差が、第三のしきい値よりも大きい第四のしきい値を超えていると判定したときは、ＣＰＵ５０は、その紙幣は、現に流通している真正な紙幣で、１枚ずつ、搬送されているが、紙幣の短辺が紙幣の搬送方向と平行になるように送られていないと判別し、判別結果をＲＡＭ５２の入金された紙幣に関するデータを格納するメモリ領域に書き込む。
【００７３】
一方、光学センサ手段の反射光センサが検出した紙幣の表面パターンデータと、ＲＯＭ５１から読み出した暫定的に決定した紙幣の金種に対応する金種の紙幣の裏面の基準光学データとの差が、第三のしきい値以上を超えているが、第四のしきい値以下であると判定したときは、ＣＰＵ５０は、紙幣判別部１０によって検出された紙幣は、ＲＦＩＤデータに基づいて暫定的に決定した金種の紙幣で、１枚ずつ、裏面を上にして、短辺が紙幣の搬送方向と平行になるように送られているが、汚損レベルが所定レベルを超えた汚損紙幣であると判別して、判別結果をＲＡＭ５２の入金された紙幣に関するデータを格納するメモリ領域に書き込む。
【００７４】
本実施態様においては、このように、紙幣のＲＦＩＤデータに基づき、紙幣判別部１０によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ５１から読み出し、紙幣判別部１０のセンサユニット１０ａから入力された紙幣の光学データおよび磁気データを、ＲＯＭ５１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【００７５】
紙幣判別部１０を通過した紙幣は、搬送路１１に送られる。
【００７６】
このようにして、紙幣判別部１０が検出したデータに基づいて、紙幣を判別した結果、紙幣判別部１０によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ５０は、ゲート部材１３を駆動するソレノイド６３に駆動信号を出力して、搬送路１１と分岐搬送路１２とを連通させる。
【００７７】
その結果、偽造紙幣もしくは外国紙幣と判別した場合、２枚以上の紙幣の全部あるいは一部が重なり合って、送られている場合および紙幣の短辺が紙幣の搬送方向と角度をなして送られている場合には、紙幣は、搬送路１１から、分岐搬送路１２を介して、第一の紙幣返却口４に送られ、オペレータに返却される。
【００７８】
本実施態様においては、紙幣判別部１０は、ＲＦＩＤリーダー１０ｂを備えており、ＲＦＩＤリーダー１０ｂによって、紙幣に一体的に形成されたインレット中のＩＣチップに記録された紙幣のＩＤデータ、紙幣の金種データなどのＲＦＩＤデータが読み取られるから、２枚以上の紙幣の全部あるいは一部が重なり合って、送られている場合や、紙幣の短辺が紙幣の搬送方向と角度をなして送られている場合においても、その紙幣の金種を正確に判別することができるが、２枚以上の紙幣の全部あるいは一部が重なり合って、送られている場合や、紙幣の短辺が紙幣の搬送方向と角度をなして送られている場合には、それらの紙幣は、搬送路１１の下流側においてジャミングを起こすおそれがあるため、第一の紙幣返却口４に送って、オペレータに返却するように構成されている。
【００７９】
一方、紙幣判別部１０が検出したデータに基づいて、紙幣を判別した結果、紙幣判別部１０によって検出された紙幣が、現に流通している真正な紙幣で、１枚ずつ、短辺が紙幣の搬送方向と平行になるように送られているが、その金種が、オペレータによって指定された紙幣束を生成すべき紙幣の金種とは異なっていると判別した場合および現に流通している真正な紙幣で、１枚ずつ、短辺が紙幣の搬送方向と平行になるように送られているが、汚損レベルが所定レベルを超えた汚損紙幣であると判別した場合には、ＣＰＵ５０は、ゲート部材１５を駆動するソレノイド６４に駆動信号を出力して、搬送路１１と分岐搬送路１４とを連通させる。
【００８０】
その結果、現に流通している真正な紙幣で、１枚ずつ、短辺が紙幣の搬送方向と平行になるように送られているが、その金種が、オペレータによって指定された紙幣束を生成すべき紙幣の金種とは異なっている紙幣および汚損レベルが所定レベルを超えた汚損紙幣は、搬送路１１から、分岐搬送路１４を介して、第二の紙幣返却口５に送られ、オペレータに返却される。
【００８１】
これに対して、紙幣判別部１０が検出したデータに基づいて、紙幣を判別した結果、紙幣判別部１０によって検出された紙幣が、現に流通している真正な紙幣で、１枚ずつ、短辺が紙幣の搬送方向と平行になるように送られているが、裏面を上にして搬送されていると判別したときは、ＣＰＵ５０は、ゲート部材１７を駆動するソレノイド６５に駆動信号を出力して、搬送路１１と表裏反転搬送路１６とを連通させるとともに、表裏反転搬送路１６に設けられた複数のローラ対１８を駆動するローラ対駆動手段６２に駆動信号を出力して、複数のローラ対１８を駆動させる。
【００８２】
その結果、紙幣は、搬送路１１から、表裏反転搬送路１６内に送られた後、複数のローラ対１８が逆転されるのにともなって、搬送路１１に戻され、表面が上を向いた状態で、搬送路１１内を、紙幣集積部２０に向けて、送られる。
【００８３】
一方、紙幣判別部１０が検出したデータに基づいて、紙幣を判別した結果、紙幣判別部１０によって検出された紙幣が、現に流通している真正な紙幣で、表面を上にして、１枚ずつ、短辺が紙幣の搬送方向と平行になるように送られていると判別したときは、ＣＰＵ５０は、ゲート部材１７を駆動するソレノイド６５に駆動信号を出力せず、紙幣は、表裏反転搬送路１６の分岐部を通過して、紙幣集積部２０に送られる。
【００８４】
したがって、紙幣集積部２０には、オペレータが指定した金種の現に流通している真正な紙幣で、１枚ずつ、短辺が紙幣の搬送方向と平行になるように送られている紙幣のみが、表面が上を向いた状態で、送られる。
【００８５】
紙幣集積部２０に送られた紙幣は、紙幣集積機構６６によって、紙幣集積部２０内で、集積される。
【００８６】
こうして、オペレータが指定した金種の現に流通している真正な紙幣で、１枚ずつ、短辺が紙幣の搬送方向と平行になるように送られている紙幣が、次々に、紙幣集積部２０に送られて、集積された結果、ＲＡＭ５２の入金された紙幣に関するデータを格納するメモリ領域に書き込まれたデータに基づいて、所定枚数の紙幣、たとえば、１００枚の紙幣が、紙幣集積部２０に送られて、集積されたと判定すると、ＣＰＵ５０は、繰り出しローラ駆動手段６０に駆動停止信号を出力して、繰り出しローラの駆動を停止させ、紙幣入金口２にセットされた紙幣の取り込みを、一時的に中断させるとともに、紙幣集積部２０の集積紙幣送出し手段６７に駆動信号を出力して、紙幣集積部２０内に集積された紙幣を、紙幣帯封機構３０の帯封処理部３１に移送させる。
【００８７】
紙幣集積部２０内に集積された紙幣が、紙幣帯封機構３０の帯封処理部３１に移送されると、ＣＰＵ５０は、モータ６８に駆動信号を出力して、帯封処理部３１の一対の挟持部材３１ａ、３１ｂを互いに近接させる。
【００８８】
その結果、所定枚数の紙幣、たとえば、１００枚の紙幣を含む集積紙幣が、一対の挟持部材３１ａ、３１ｂによって挟持される。
【００８９】
次いで、ＣＰＵ５０は、結束テープ供給部材３２を駆動するモータ６９に駆動信号を出力して、結束テープＴを、帯封処理部３１に向けて繰り出させ、さらに、ＲＡＭ５２の生成すべき紙幣束に関するデータを格納するメモリ領域に書き込まれた帯封処理に関するデータおよびＲＡＭ５２の入金された紙幣に関するデータを格納するメモリ領域に書き込まれた紙幣集積部２０に送られた紙幣のＲＦＩＤデータを読み出して、駆動信号とともに、紙幣帯封機構３０のＲＦＩＤライター３５を駆動するＲＦＩＤライター駆動手段７３に出力する。
【００９０】
その結果、ＲＦＩＤライター３５によって、結束テープ供給部材３２から、帯封処理部３１に向けて繰り出された結束テープＴに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータが書き込まれる。
【００９１】
さらに、ＣＰＵ５０は、結束テープＴに一体的に形成されたインレット内のＩＣチップに書き込んだ帯封処理に関するデータを、紙幣束に帯封処理を施す権限を有する金融機関によって、共同管理されている中央管理サーバ５５に出力する。こうして、中央管理サーバ５５に、集積紙幣に巻回された結束テープＴに一体的に形成されたインレット中のＩＣチップに、ＲＦＩＤライター３５によって書き込まれた帯封処理に関するデータが格納される。
【００９２】
インレット内のＩＣチップに、紙幣束を構成する紙幣に関するＲＦＩＤデータおよび帯封処理に関するＲＦＩＤデータが書き込まれた結束テープＴは、帯封処理部３１内に送られ、結束テープＴが帯封処理部３１内に送られると、ＣＰＵ５０から、帯封処理部３１のテープ巻き付け手段（図示せず）を駆動するモータ７２に駆動信号が出力され、結束テープＴが、一対の挟持部材３１ａ、３１ｂに挟持された集積紙幣の略中央部に巻き付けられる。
【００９３】
所定の長さの結束テープＴが集積紙幣に巻き付けられたと判定すると、ＣＰＵ５０は、紙幣帯封機構３０のカッタ（図示せず）を駆動するソレノイド７０に駆動信号を出力して、カッタにより、結束テープＴを切断させ、さらに、紙幣帯封機構３０の接着手段（図示せず）を駆動するソレノイド７１に駆動信号を出力して、接着手段によって、切断された結束テープＴの両端部を接着させる。
【００９４】
こうして、所定枚数の紙幣、たとえば、１００枚の紙幣を含み、結束テープＴが巻回されて、帯封が付された紙幣束が生成される。
【００９５】
紙幣束が生成されると、ＣＰＵ５０は、ＲＡＭ５２の生成された紙幣束に関するデータを格納するメモリ領域に、生成された紙幣束の金種および数に関する紙幣束生成データを書き込むとともに、紙幣束繰り出し部３８を駆動するモータ７４および紙幣束搬送路４０内に設けられた搬送ローラ（図示せず）を駆動する搬送ローラ駆動手段７５に駆動信号を出力する。
【００９６】
その結果、生成された紙幣束は、紙幣束繰り出し部３８によって、帯封処理部３１から、紙幣束搬送路４０内に繰り出され、紙幣束出金口３に出金される。
【００９７】
こうして、生成された紙幣束が、紙幣束出金口３に出金されると、ＣＰＵ５０は、繰り出しローラ駆動手段６０に駆動信号を出力して、繰り出しローラを駆動させ、紙幣入金口２にセットされた紙幣の取り込みを再開させる。
【００９８】
同様の操作が繰り返されて、紙幣入金口２にセットされた紙幣が、次々に、紙幣処理機内に繰り出されて、所定枚数の紙幣、たとえば、１００枚の紙幣を含み、結束テープＴが巻回されて、帯封が付された紙幣束が生成され、ＣＰＵ５０によって、ＲＡＭ５２の生成された紙幣束に関するデータを格納するメモリ領域に書き込まれた紙幣束生成データが書き換えられる。
【００９９】
その結果、紙幣束生成データ中の生成された紙幣束の数が、ＲＡＭ５２の生成すべき紙幣束に関するデータを格納するメモリ領域に書き込まれた紙幣束データ中の生成すべき紙幣束の数に等しくなり、生成された紙幣束が紙幣束出金口３に出金されると、ＣＰＵ５０は、紙幣の帯封処理を完了させる。
【０１００】
本実施態様によれば、帯封処理が施されて、生成された紙幣束に巻回されている結束テープＴに形成されたインレット中のＩＣチップには、金融機関名、支店名、紙幣処理機のＩＤデータ、オペレータの名前、帯封処理を実行する日時などの帯封処理に関するＲＦＩＤデータが書き込まれているから、結束テープＴに形成されたインレット中のＩＣチップに書き込まれた帯封処理に関するＲＦＩＤデータを読み取ることによって、容易に、紙幣束が生成された履歴を知ることができ、したがって、紙幣束を所望のように管理することが可能になる。
【０１０１】
また、本実施態様によれば、結束テープＴに形成されたインレット内のＩＣチップに書き込まれた帯封処理に関するデータは、紙幣束に帯封処理を施す権限を有する金融機関によって、共同管理されている中央管理サーバ５５に出力されて、格納されるように構成されているから、結束テープＴに形成されたインレット内のＩＣチップに書き込まれた帯封処理に関するＲＦＩＤデータを読み取り、中央管理サーバー５５にアクセスすることによって、紙幣束が、紙幣束に帯封処理を施す権限を有する機関によって、真正に生成されたものか否かを正確に判断することができ、したがって、紙幣束を所望のように管理することが可能になる。
【０１０２】
さらに、本実施態様によれば、帯封処理が施されて、生成された紙幣束に巻回されている結束テープＴに形成されたインレット中のＩＣチップには、紙幣束に含まれる紙幣の金種データ、ＩＤデータなどの紙幣束を構成する紙幣に関するＲＦＩＤデータが書き込まれているから、ＲＦＩＤデータを読み取ることによって、帯封処理が施された紙幣束に含まれている紙幣を特定することができ、したがって、紙幣束の生成後に、紙幣が抜き取られた場合にも、抜き取られた紙幣を特定することができるから、紙幣束を所望のように管理することが可能になる。
【０１０３】
図３は、本発明の別の好ましい実施態様にかかる紙幣処理機の略縦断面図である。
【０１０４】
図３に示されるように、本実施態様にかかる紙幣処理機の紙幣帯封機構３０は、帯封処理部３１と、結束テープＴを供給する結束テープ供給部材９０と、ＩＣチップとアンテナを含むインレット（図示せず）が一体的に形成されたラベル（図示せず）が所定の間隔で、貼付されたフィルムＦを、送り出すフィルム供給部材９１と、フィルム供給部材９１から送り出されたフィルムＦから、１枚ずつ、ＩＣチップとアンテナを含むインレットが一体的に形成されたラベルを剥がし、結束テープＴの表面に、所定の間隔で、貼り付けるラベル貼付手段９２を備え、結束テープ供給部材９０から供給された結束テープＴには、ＩＣチップとアンテナを含むインレットが一体的に形成されていない点を除き、図１および図２に示された紙幣処理機と同様の構成を有している。
【０１０５】
図３に示されるように、紙幣帯封機構３０の帯封処理部３１、ＲＦＩＤライター３５およびＲＦＩＤライター３５の近傍のラベルが貼付された結束テープＴの搬送路は、ＲＦＩＤライター３５によって、結束テープＴに貼付されたラベルに一体的に形成されたインレット内のＩＣチップにＲＦＩＤデータを書き込む際に、ＲＦＩＤライター３５から発信される周波数の電波を遮蔽する材料によって形成されたケーシング３６によって覆われている。
【０１０６】
図４は、図３に示された紙幣処理機の制御系、検出系、駆動系、入力系および表示系を示すブロックダイアグラムである。
【０１０７】
図４に示されるように、本実施態様にかかる紙幣処理機の制御系、検出系、入力系および表示系は、図１および図２に示された紙幣処理機の制御系、検出系、入力系および表示系と同様の構成を有している。
【０１０８】
図４に示されるように、本実施態様にかかる紙幣処理機の駆動系は、結束テープ供給部材３２を駆動するモータ６９に代えて、結束テープ供給部材９０を駆動するモータ９５を備え、さらに、ＩＣチップとアンテナを含むインレットが一体的に形成されたラベルが所定の間隔で、貼付されたフィルムＦを、帯封処理部３１に向けて、送り出すフィルム供給部材９１を駆動するモータ９６と、帯封処理部３１に向けて、フィルム供給部材９１から送り出されたフィルムＦから、１枚ずつ、ＩＣチップとアンテナを含むインレットが一体的に形成されたラベルを剥がし、結束テープＴの表面に、所定の間隔で、貼り付けるラベル貼付手段９２を駆動するモータ９７を備えている点を除いて、図１および図２に示された紙幣処理機の駆動系と同様の構成を有している。
【０１０９】
以上のように構成された本発明の別の好ましい実施態様にかかる紙幣処理機は、以下のようにして、紙幣入金口２に投入された紙幣のうち、オペレータによって指定された金種の紙幣を選別して、所定枚数だけ、たとえば、１００枚だけ、集積し、集積された紙幣の略中央部に、結束テープＴを巻回して、集積紙幣に帯封処理を施し、所定枚数の紙幣、たとえば、１００枚の紙幣を含む紙幣束を生成する。
【０１１０】
まず、オペレータによって、紙幣が、紙幣入金口２内にセットされ、さらに、オペレータによって、紙幣束の生成を指示する紙幣束生成信号とともに、紙幣束を生成すべき紙幣の金種、紙幣束に含まれるべき紙幣の枚数および生成すべき紙幣束の数を特定する紙幣束データならびに金融機関名、支店名、紙幣処理機のＩＤデータならびにオペレータの名前などの帯封処理に関するデータがキーボード８０に入力される。
【０１１１】
オペレータによって入力された紙幣束生成信号は、紙幣束データおよび帯封処理に関するデータとともに、ＣＰＵ５０に出力され、オペレータによって入力された紙幣束生成信号、紙幣束データおよび帯封処理に関するデータを受けると、ＣＰＵ５０は、オペレータによって入力された紙幣束データおよび帯封処理に関するデータを、ＲＡＭ５２の生成すべき紙幣束に関するデータを格納するメモリ領域に書き込むとともに、繰り出しローラ駆動手段６０、搬送ローラ駆動手段６１および紙幣集積部２０の紙幣集積機構６６に駆動信号を出力して、繰り出しローラ（図示せず）、搬送路９、搬送路１１、分岐搬送路１２および分岐搬送路１４内に設けられた搬送ローラ（図示せず）ならびに紙幣集積部２０の紙幣集積機構６６を駆動する。
【０１１２】
その結果、紙幣入金口２にセットされた紙幣は、繰り出しローラによって、１枚ずつ、搬送路９内に繰り出され、紙幣判別部１０に送られる。
【０１１３】
紙幣判別部１０においては、センサユニット１０ａによって、紙幣の光学データおよび磁気データが読み取られるとともに、ＲＦＩＤリーダー１０ｂによって、紙幣に一体的に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【０１１４】
ＣＰＵ５０は、紙幣判別部１０のＲＦＩＤリーダー１０ｂから入力されたＲＦＩＤデータを、ＲＡＭ５２の入金された紙幣に関するデータを格納するメモリ領域に書き込むとともに、ＲＡＭ５２に書き込まれたＲＦＩＤデータに基づいて、紙幣が、現に流通している真正な紙幣か否かおよび紙幣の金種を暫定的に判別する。
【０１１５】
その結果、紙幣のＲＦＩＤデータに基づいて、紙幣判別部１０によって検出された紙幣が、現に流通している真正な紙幣ではないと判別したときは、ＣＰＵ５０は、判別結果をＲＡＭ５２の入金された紙幣に関するデータを格納するメモリ領域に書き込み、これに対して、紙幣のＲＦＩＤデータに基づいて、紙幣が、現に流通している真正な紙幣と判別したときは、ＣＰＵ５０は、紙幣のＲＦＩＤデータに基づいて、紙幣の金種を暫定的に決定し、さらに、暫定的に決定した紙幣の金種に対応する金種の紙幣の基準透過光データ、表面の基準光学データおよび基準磁気データをＲＯＭ５１から読み出す。
【０１１６】
次いで、ＣＰＵ５０は、光学センサ手段の透過光センサが検出した紙幣の透過光データと、暫定的に決定した金種の紙幣の基準透過光データとを比較し、まず、紙幣が１枚ずつ送られているか否かを判別する。
【０１１７】
その結果、光学センサ手段の透過光センサが検出した紙幣の透過光データと、暫定的に決定した金種の紙幣の基準透過光データとが、実質的に一致していないと判別したときは、ＣＰＵ５０は、２枚以上の紙幣が、全部あるいはその一部が重なり合って、送られていると判別し、判別結果をＲＡＭ５２の入金された紙幣に関するデータを格納するメモリ領域に書き込む。
【０１１８】
これに対して、光学センサ手段の透過光センサが検出した紙幣の透過光データと、暫定的に決定した金種の紙幣の基準透過光データとが、実質的に一致していると判別したときは、ＣＰＵ５０は、その紙幣が、１枚ずつ搬送されていると判別し、さらに、紙幣判別部１０のセンサユニット１０ａから入力された紙幣の光学データおよび磁気データを、ＲＯＭ５１から読み出した紙幣の基準光学データおよび基準磁気データと比較し、紙幣の金種、汚損レベルおよび表裏ならびに紙幣の短辺が紙幣の搬送方向と平行になるように送られているか否かを判別する。
【０１１９】
すなわち、光学センサ手段の反射光センサが検出した紙幣の表面パターンデータと、暫定的に決定した金種の紙幣の表面の基準表面パターンデータとを比較した結果、両者の差が第一のしきい値以下と判定したときは、ＣＰＵ５０は、紙幣判別部１０によって検出された紙幣は、ＲＦＩＤデータに基づいて暫定的に決定した金種の紙幣であると最終的に判別するとともに、紙幣が、１枚ずつ、表面を上にして、短辺が紙幣の搬送方向と平行になるように送られていると判別し、判別結果をＲＡＭ５２の入金された紙幣に関するデータを格納するメモリ領域に書き込む。
【０１２０】
一方、光学センサ手段の反射光センサが検出した紙幣の表面パターンデータと、ＲＯＭ５１から読み出した暫定的に決定した紙幣の金種に対応する金種の紙幣の表面の基準光学データとの差が、第一のしきい値以上を超えているが、第一のしきい値よりも大きい第二のしきい値以下であると判定したときは、ＣＰＵ５０は、紙幣判別部１０によって検出された紙幣は、ＲＦＩＤデータに基づいて暫定的に決定した金種の紙幣で、１枚ずつ、表面を上にして、短辺が紙幣の搬送方向と平行になるように送られているが、汚損レベルが所定レベルを超えた汚損紙幣であると判別して、判別結果をＲＡＭ５２の入金された紙幣に関するデータを格納するメモリ領域に書き込む。
【０１２１】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、さらに、暫定的に決定した紙幣の金種に対応する金種の紙幣の裏面の基準光学データをＲＯＭ５１から読み出して、光学センサ手段の反射光センサが検出した紙幣の表面パターンデータと比較する。
【０１２２】
その結果、両者の差が第三のしきい値以下と判定したときは、ＣＰＵ５０は、紙幣判別部１０によって検出された紙幣は、ＲＦＩＤデータに基づいて暫定的に決定した金種の紙幣であると最終的に判別するとともに、紙幣が、裏面を上にして、１枚ずつ、短辺が紙幣の搬送方向と平行になるように送られていると判別し、判別結果をＲＡＭ５２の入金された紙幣に関するデータを格納するメモリ領域に書き込む。
【０１２３】
これに対して、光学センサ手段の反射光センサが検出した紙幣の表面パターンデータと、ＲＯＭ５１から読み出した暫定的に決定した紙幣の金種に対応する金種の紙幣の裏面の基準光学データとの差が、第三のしきい値よりも大きい第四のしきい値を超えていると判定したときは、ＣＰＵ５０は、その紙幣は、現に流通している真正な紙幣で、１枚ずつ、搬送されているが、紙幣の短辺が紙幣の搬送方向と平行になるように送られていないと判別し、判別結果をＲＡＭ５２の入金された紙幣に関するデータを格納するメモリ領域に書き込む。
【０１２４】
一方、光学センサ手段の反射光センサが検出した紙幣の表面パターンデータと、ＲＯＭ５１から読み出した暫定的に決定した紙幣の金種に対応する金種の紙幣の裏面の基準光学データとの差が、第三のしきい値以上を超えているが、第四のしきい値以下であると判定したときは、ＣＰＵ５０は、紙幣判別部１０によって検出された紙幣は、ＲＦＩＤデータに基づいて暫定的に決定した金種の紙幣で、１枚ずつ、裏面を上にして、短辺が紙幣の搬送方向と平行になるように送られているが、汚損レベルが所定レベルを超えた汚損紙幣であると判別して、判別結果をＲＡＭ５２の入金された紙幣に関するデータを格納するメモリ領域に書き込む。
【０１２５】
本実施態様においても、このように、紙幣のＲＦＩＤデータに基づき、紙幣判別部１０によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ５１から読み出し、紙幣判別部１０のセンサユニット１０ａから入力された紙幣の光学データおよび磁気データを、ＲＯＭ５１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【０１２６】
紙幣判別部１０を通過した紙幣は、搬送路１１に送られる。
【０１２７】
このようにして、紙幣判別部１０が検出したデータに基づいて、紙幣を判別した結果、紙幣判別部１０によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ５０は、ゲート部材１３を駆動するソレノイド６３に駆動信号を出力して、搬送路１１と分岐搬送路１２とを連通させ、紙幣を、搬送路１１から、分岐搬送路１２を介して、第一の紙幣返却口４に送って、オペレータに返却する。
【０１２８】
一方、紙幣判別部１０が検出したデータに基づいて、紙幣を判別した結果、紙幣判別部１０によって検出された紙幣が、現に流通している真正な紙幣で、１枚ずつ、短辺が紙幣の搬送方向と平行になるように送られているが、その金種が、オペレータによって指定された紙幣束を生成すべき紙幣の金種とは異なっていると判別した場合および現に流通している真正な紙幣で、１枚ずつ、短辺が紙幣の搬送方向と平行になるように送られているが、汚損レベルが所定レベルを超えた汚損紙幣であると判別した場合には、ＣＰＵ５０は、ゲート部材１５を駆動するソレノイド６４に駆動信号を出力して、搬送路１１と分岐搬送路１４とを連通させ、紙幣を、搬送路１１から、分岐搬送路１４を介して、第二の紙幣返却口５に送って、オペレータに返却する。
【０１２９】
これに対して、紙幣判別部１０が検出したデータに基づいて、紙幣を判別した結果、紙幣判別部１０によって検出された紙幣が、現に流通している真正な紙幣で、１枚ずつ、短辺が紙幣の搬送方向と平行になるように送られているが、裏面を上にして搬送されていると判別したときは、ＣＰＵ５０は、ゲート部材１７を駆動するソレノイド６５に駆動信号を出力して、搬送路１１と表裏反転搬送路１６とを連通させるとともに、表裏反転搬送路１６に設けられた複数のローラ対１８を駆動するローラ対駆動手段６２に駆動信号を出力して、複数のローラ対１８を駆動させる。
【０１３０】
その結果、紙幣は、搬送路１１から、表裏反転搬送路１６内に送られた後、複数のローラ対１８が逆転されるのにともなって、搬送路１１に戻され、表面が上を向いた状態で、搬送路１１内を、紙幣集積部２０に向けて、送られる。
【０１３１】
一方、紙幣判別部１０が検出したデータに基づいて、紙幣を判別した結果、紙幣判別部１０によって検出された紙幣が、現に流通している真正な紙幣で、表面を上にして、１枚ずつ、短辺が紙幣の搬送方向と平行になるように送られていると判別したときは、ＣＰＵ５０は、ゲート部材１７を駆動するソレノイド６５に駆動信号を出力せず、紙幣は、表裏反転搬送路１６の分岐部を通過して、紙幣集積部２０に送られる。
【０１３２】
したがって、紙幣集積部２０には、オペレータが指定した金種の現に流通している真正な紙幣で、１枚ずつ、短辺が紙幣の搬送方向と平行になるように送られている紙幣のみが、表面が上を向いた状態で、送られる。
【０１３３】
紙幣集積部２０に送られた紙幣は、紙幣集積機構６６によって、紙幣集積部２０内で、集積される。
【０１３４】
こうして、オペレータが指定した金種の現に流通している真正な紙幣で、１枚ずつ、短辺が紙幣の搬送方向と平行になるように送られている紙幣が、次々に、紙幣集積部２０に送られて、集積された結果、ＲＡＭ５２の入金された紙幣に関するデータを格納するメモリ領域に書き込まれたデータに基づいて、所定枚数の紙幣、たとえば、１００枚の紙幣が、紙幣集積部２０に送られて、集積されたと判定すると、ＣＰＵ５０は、繰り出しローラ駆動手段６０に駆動停止信号を出力して、繰り出しローラの駆動を停止させ、紙幣入金口２にセットされた紙幣の取り込みを、一時的に中断させるとともに、紙幣集積部２０の集積紙幣送出し手段６７に駆動信号を出力して、紙幣集積部２０内に集積された紙幣を、紙幣帯封機構３０の帯封処理部３１に移送させる。
【０１３５】
紙幣集積部２０内に集積された紙幣が、紙幣帯封機構３０の帯封処理部３１に移送されると、ＣＰＵ５０は、モータ６８に駆動信号を出力して、帯封処理部３１の一対の挟持部材３１ａ、３１ｂを互いに近接させる。
【０１３６】
その結果、所定枚数の紙幣、たとえば、１００枚の紙幣を含む集積紙幣が、一対の挟持部材３１ａ、３１ｂによって挟持される。
【０１３７】
次いで、ＣＰＵ５０は、フィルム供給部材９１を駆動するモータ９６に駆動信号を出力して、ＩＣチップとアンテナを含むインレットが一体的に形成されたラベルが所定の間隔で、貼付されたフィルムＦを、帯封処理部３１に向けて、送り出させ、次いで、結束テープ供給部材９０を駆動するモータ９５に駆動信号を出力して、結束テープＴを、帯封処理部３１に向けて、繰り出させるとともに、ラベル貼付手段９２を駆動するモータ９７に駆動信号を出力して、フィルム供給部材９１から送り出されたフィルムＦから、１枚ずつ、ＩＣチップとアンテナを含むインレットが一体的に形成されたラベルを剥がし、結束テープ供給部材９０から繰り出された結束テープＴの表面に、ラベルを、所定の間隔で、貼付させる。
【０１３８】
さらに、ＣＰＵ５０は、ＲＡＭ５２の生成すべき紙幣束に関するデータを格納するメモリ領域に書き込まれた帯封処理に関するデータおよびＲＡＭ５２の入金された紙幣に関するデータを格納するメモリ領域に書き込まれた紙幣集積部２０に送られた紙幣のＲＦＩＤデータを読み出して、駆動信号とともに、紙幣帯封機構３０のＲＦＩＤライター３５を駆動するＲＦＩＤライター駆動手段７３に出力する。
【０１３９】
その結果、ＲＦＩＤライター３５によって、結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータが書き込まれる。
【０１４０】
さらに、ＣＰＵ５０は、結束テープＴに貼付されたラベルに一体的に形成されたインレット内のＩＣチップに書き込んだ帯封処理に関するデータを、紙幣束に帯封処理を施す権限を有する金融機関によって、共同管理されている中央管理サーバ５５に出力する。こうして、中央管理サーバ５５に、集積紙幣に巻回された結束テープＴに貼付されたラベルに一体的に形成されたインレット中のＩＣチップに、ＲＦＩＤライター３５によって書き込まれた帯封処理に関するデータが格納される。
【０１４１】
ラベルに一体的に形成されたインレット内のＩＣチップに、紙幣束を構成する紙幣に関するＲＦＩＤデータおよび帯封処理に関するＲＦＩＤデータが書き込まれた結束テープＴは、帯封処理部３１内に送られ、結束テープＴが帯封処理部３１内に送られると、ＣＰＵ５０から、帯封処理部３１のテープ巻き付け手段（図示せず）を駆動するモータ７２に駆動信号が出力され、結束テープＴが、一対の挟持部材３１ａ、３１ｂに挟持された集積紙幣の略中央部に巻き付けられる。
【０１４２】
所定の長さの結束テープＴが集積紙幣に巻き付けられたと判定すると、ＣＰＵ５０は、紙幣帯封機構３０のカッタ（図示せず）を駆動するソレノイド７０に駆動信号を出力して、カッタにより、結束テープＴを切断させ、さらに、紙幣帯封機構３０の接着手段（図示せず）を駆動するソレノイド７１に駆動信号を出力して、接着手段によって、切断された結束テープＴの両端部を接着させる。
【０１４３】
こうして、所定枚数の紙幣、たとえば、１００枚の紙幣を含み、結束テープＴが巻回されて、帯封が付された紙幣束が生成される。
【０１４４】
紙幣束が生成されると、ＣＰＵ５０は、ＲＡＭ５２の生成された紙幣束に関するデータを格納するメモリ領域に、生成された紙幣束の金種および数に関する紙幣束生成データを書き込むとともに、紙幣束繰り出し部３８を駆動するモータ７４および紙幣束搬送路４０内に設けられた搬送ローラ（図示せず）を駆動する搬送ローラ駆動手段７５に駆動信号を出力する。
【０１４５】
その結果、生成された紙幣束は、紙幣束繰り出し部３８によって、帯封処理部３１から、紙幣束搬送路４０内に繰り出され、紙幣束出金口３に出金される。
【０１４６】
こうして、生成された紙幣束が、紙幣束出金口３に出金されると、ＣＰＵ５０は、繰り出しローラ駆動手段６０に駆動信号を出力して、繰り出しローラを駆動させ、紙幣入金口２にセットされた紙幣の取り込みを再開させる。
【０１４７】
同様の操作が繰り返されて、紙幣入金口２にセットされた紙幣が、次々に、紙幣処理機内に繰り出されて、所定枚数の紙幣、たとえば、１００枚の紙幣を含み、結束テープＴが巻回されて、帯封が付された紙幣束が生成され、ＣＰＵ５０によって、ＲＡＭ５２の生成された紙幣束に関するデータを格納するメモリ領域に書き込まれた紙幣束生成データが書き換えられる。
【０１４８】
その結果、紙幣束生成データ中の生成された紙幣束の数が、ＲＡＭ５２の生成すべき紙幣束に関するデータを格納するメモリ領域に書き込まれた紙幣束データ中の生成すべき紙幣束の数に等しくなり、生成された紙幣束が紙幣束出金口３に出金されると、ＣＰＵ５０は、紙幣の帯封処理を完了させる。
【０１４９】
本実施態様によれば、帯封処理が施されて、生成された紙幣束に巻回されている結束テープＴに貼付されたラベルに一体的に形成されたインレット中のＩＣチップには、金融機関名、支店名、紙幣処理機のＩＤデータ、オペレータの名前、帯封処理を実行する日時などの帯封処理に関するＲＦＩＤデータが書き込まれているから、結束テープＴに貼付されたラベルに一体的に形成されたインレット中のＩＣチップに書き込まれた帯封処理に関するＲＦＩＤデータを読み取ることによって、容易に、紙幣束が生成された履歴を知ることができ、したがって、紙幣束を所望のように管理することが可能になる。
【０１５０】
また、本実施態様によれば、結束テープＴに貼付されたラベルに一体的に形成されたインレット内のＩＣチップに書き込まれた帯封処理に関するデータは、紙幣束に帯封処理を施す権限を有する金融機関によって、共同管理されている中央管理サーバ５５に出力されて、格納されるように構成されているから、結束テープＴに貼付されたラベルに一体的に形成されたインレット内のＩＣチップに書き込まれた帯封処理に関するＲＦＩＤデータを読み取り、中央管理サーバー５５にアクセスすることによって、紙幣束が、紙幣束に帯封処理を施す権限を有する機関によって、真正に生成されたものか否かを正確に判断することができ、したがって、紙幣束を所望のように管理することが可能になる。
【０１５１】
さらに、本実施態様によれば、帯封処理が施されて、生成された紙幣束に巻回されている結束テープＴに貼付されたラベルに一体的に形成されたインレット中のＩＣチップには、紙幣束に含まれる紙幣の金種データ、ＩＤデータなどの紙幣束を構成する紙幣に関するＲＦＩＤデータが書き込まれているから、ＲＦＩＤデータを読み取ることによって、帯封処理が施された紙幣束に含まれている紙幣を特定することができ、したがって、紙幣束の生成後に、紙幣が抜き取られた場合にも、抜き取られた紙幣を特定することができるから、紙幣束を所望のように管理することが可能になる。
【０１５２】
本発明は、以上の実施態様に限定されることなく、特許請求の範囲に記載された発明の範囲内で種々の変更が可能であり、それらも本発明の範囲内に包含されるものであることはいうまでもない。
【０１５３】
たとえば、前記実施態様においては、紙幣判別部１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、紙幣の金種、汚損のレベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット１０ａと、紙幣に一体的に形成されたインレット中のＩＣチップに記録された紙幣のＩＤデータ、紙幣の金種データなどのＲＦＩＤデータを読み取るＲＦＩＤリーダー１０ｂとを備えているが、２枚以上の紙幣の全部あるいは一部が重なり合って、送られているか否かは、センサユニット１０ａに含まれる光学センサ手段の透過光センサが検出した透過光データによって判別することができ、また、紙幣の表裏は、センサユニット１０ａに含まれる光学センサ手段の反射光センサが検出した反射光データによって判別することができ、その一方で、センサユニット１０ａに含まれる光学センサ手段の反射光センサが検出したデータに基づいて、金種が確定できない紙幣には、偽造紙幣および外国紙幣だけでなく、紙幣の短辺が紙幣の搬送方向と角度をなして送られている紙幣も含まれるが、紙幣判別部１０が検出した紙幣のデータに基づいて、偽造紙幣あるいは外国紙幣と判別された紙幣ならびに紙幣の短辺が紙幣の搬送方向と角度をなして送られていると判別された紙幣は、いずれも、第一の紙幣返却口４に送られて、オペレータに返却され、紙幣判別部１０が検出した紙幣のデータに基づいて、偽造紙幣あるいは外国紙幣と、紙幣の短辺が紙幣の搬送方向と角度をなして送られている紙幣とを区別する必要はないから、紙幣判別部１０は、センサユニット１０ａを備えていればよく、ＲＦＩＤデータを読み取るＲＦＩＤリーダー１０ｂを備えていることは必ずしも必要でない。さらに、紙幣判別部１０が、光学センサ手段を備えていれば、ＣＰＵ５０は、紙幣判別部１０が検出した紙幣のデータに基づいて、紙幣の金種、汚損レベルおよび紙幣の表裏を判別することができるから、紙幣判別部１０に含まれるセンサユニット１０ａが、磁気センサを備えていることは必ずしも必要でない。
【０１５４】
また、前記実施態様においては、紙幣判別部１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、紙幣の金種、汚損レベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット１０ａと、紙幣に一体的に形成されたインレット中のＩＣチップに記録された紙幣のＩＤデータ、紙幣の金種データなどのＲＦＩＤデータを読み取るＲＦＩＤリーダー１０ｂとを備え、ＣＰＵ５０は、センサユニット１０ａに含まれた光学センサ手段の反射光センサが検出した紙幣の反射光データと、ＲＦＩＤリーダー１０ｂが読み取った紙幣のＲＦＩＤデータに基づいて、紙幣の短辺が紙幣の搬送方向と平行になるように送られているか否かを判別するように構成されているが、紙幣判別部１０に、さらに、紙幣判別部１０を通過する紙幣の両側部を検出する一対の光学センサを設け、一対の光学センサが紙幣を検出するタイミングにしたがって、ＣＰＵ５０が、紙幣の短辺が紙幣の搬送方向と平行になるように送られているか否かを判別するように構成することもできる。
【０１５５】
さらに、前記実施態様においては、紙幣判別部１０のセンサユニット１０ａは、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、紙幣の金種、汚損レベルおよび紙幣の表裏、紙幣が１枚ずつ送られているか否かならびに紙幣の短辺が紙幣の搬送方向と平行になるように送られているか否かを判別するための光学データおよび磁気データを生成するように構成されているが、紙幣判別部１０のセンサユニット１０ａが、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えていることは必ずしも必要でなく、光学センサ手段および磁気センサに代えて、紙幣に向けて、紫外線光源を発する紫外線光源と、紫外線光源から発せられた紫外線によって、紙幣に含まれた蛍光物質が励起されて、放出された蛍光を検出する光学センサを用いることもできる。
【０１５６】
さらに、前記実施態様においては、紙幣処理機は、紙幣判別部１０に、ＲＦＩＤリーダー１０ｂを備えているが、ＲＦＩＤリーダーは、紙幣帯封機構３０のＲＦＩＤライター３５によって、結束テープＴに一体的に形成されたインレット内のＩＣチップあるいは結束テープＴに貼付されたラベルに一体的に形成されたインレット内のＩＣチップに、紙幣に関するＲＦＩＤデータおよび帯封処理に関するＲＦＩＤデータを書き込むのに先立って、紙幣に一体的に形成されたインレット内のＩＣチップに書き込まれた紙幣のＩＤデータ、金種データなどのＲＦＩＤデータを読み取ることができる位置に設けられていればよく、たとえば、紙幣帯封機構３０、紙幣帯封機構３０よりも上流側の紙幣搬送路９、１１あるいは紙幣集積部２０内にＲＦＩＤリーダーを設けることもでき、紙幣処理機が、紙幣判別部１０に、ＲＦＩＤリーダー１０ｂを備えていることは必ずしも必要でない。
【０１５７】
また、前記実施態様においては、紙幣判別部１０によって検出されたデータに基づいて、ＣＰＵ５０は、紙幣が、真正でかつ現に流通している紙幣であるか否か、紙幣が真正でかつ現に流通している紙幣である場合には、その金種、紙幣が、１枚ずつ、搬送されているか否か、紙幣の表裏ならびに紙幣が、その短辺が紙幣の搬送方向と平行になるように搬送されているかを判別するように構成され、紙幣処理機は、紙幣の表裏を反転させる表裏反転搬送路１６を備えているが、ＣＰＵ５０が、紙幣判別部１０によって検出されたデータに基づいて、紙幣の表裏を判別し、紙幣処理機が、紙幣の表裏を反転させる表裏反転搬送路１６を備えていることは必ずしも必要でない。
【０１５８】
さらに、前記実施態様においては、紙幣処理機は、紙幣入金口２にセットされた紙幣から、オペレータが指定した金種の紙幣を選別し、所定枚数の選別した紙幣を重ね合わせて、紙幣束を生成し、生成された所定枚数の紙幣を含む紙幣束に結束テープＴを巻回して、帯封処理が施された紙幣束を生成する専用の紙幣帯封機として構成されているが、紙幣処理機が専用の紙幣帯封機として構成されていることは必ずしも必要でなく、さらに、紙幣を入金して、金種別に収納し、必要に応じて、出金する紙幣入出金機構を備えていてもよい。たとえば、紙幣処理機に、紙幣を投入する紙幣入金口を備え、紙幣入金口に投入された紙幣を判別して、現に流通している真正な紙幣を、金種別に、複数の紙幣収納ボックス内に収納し、必要に応じて、出金するように構成された紙幣入出金機構を設け、紙幣入出金機構の複数の紙幣収納ボックスのいずれかに収納された紙幣を、１枚ずつ、繰り出して、所定枚数の紙幣を重ね合わせ、生成された所定枚数の紙幣を含む紙幣束に結束テープＴを巻回して、帯封処理が施された紙幣束を生成するように、紙幣処理機を構成することもできる。
【０１５９】
また、前記実施態様においては、一対の挟持部材３１ａ、３１ｂによって挟持された集積紙幣の略中央部に、結束テープＴを巻き付けて、紙幣束を生成するのに先立って、ＲＦＩＤライター３５によって、結束テープＴに一体的に形成されたインレット内のＩＣチップあるいは結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むように構成されているが、結束テープＴを巻き付けて、紙幣束を生成するのに先立って、結束テープＴに一体的に形成されたインレット内のＩＣチップあるいは結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むことは必ずしも必要でなく、一対の挟持部材３１ａ、３１ｂによって挟持された集積紙幣の略中央部に、結束テープＴを巻き付けて、紙幣束を生成した後に、結束テープＴに一体的に形成されたインレット内のＩＣチップあるいは結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むようにすることもできる。
【０１６０】
さらに、前記実施態様においては、ＣＰＵ５０が、紙幣束を生成する権限を有する金融機関が共同管理する中央管理サーバ５５に接続され、帯封処理部３１が、集積紙幣に結束テープＴを巻き付けて、紙幣束を生成するときに、結束テープＴに一体的に形成されたインレット内のＩＣチップあるいは結束テープＴに貼付されたラベルに一体的に形成されたインレット内のＩＣチップに書き込んだ帯封処理に関するＲＦＩＤデータが、中央管理サーバ５５に出力されて、格納されるように構成されているが、帯封が付された紙幣束が、紙幣束に帯封処理を施す権限を有する機関によって、真正に生成されたものか否かは、結束テープＴに一体的に形成されたインレット内のＩＣチップあるいは結束テープＴに貼付されたラベルに一体的に形成されたインレット内のＩＣチップに書き込まれた紙幣束を構成する紙幣に関するＲＦＩＤデータと、紙幣束を構成している紙幣に一体的に形成されたインレット内のＩＣチップに書き込まれている紙幣のＩＤデータ、金種データなどのＲＦＩＤデータを、ＲＦＩＤリーダーによって読み取り、照合することにより判別することができるから、ＣＰＵ５０が、紙幣束を生成する権限を有する金融機関が共同管理する中央管理サーバ５５に接続され、帯封処理部３１が、集積紙幣に結束テープＴを巻き付けて、紙幣束を生成するときに、結束テープＴに一体的に形成されたインレット内のＩＣチップあるいは結束テープＴに貼付されたラベルに一体的に形成されたインレット内のＩＣチップに書き込んだ帯封処理に関するＲＦＩＤデータが、紙幣束を生成する権限を有する金融機関が共同管理する中央管理サーバ５５に格納されるように構成されていることは必ずしも必要でない。
【０１６１】
また、前記実施態様においては、紙幣帯封機構３０の帯封処理部３１およびＲＦＩＤライター３５は、ＲＦＩＤライター３５によって、結束テープＴに一体的に形成されたインレット内のＩＣチップあるいは結束テープＴに貼付されたラベルに一体的に形成されたインレット内のＩＣチップにＲＦＩＤデータを書き込む際に、ＲＦＩＤライター３５から発信される周波数の電波を遮蔽する材料によって形成されたケーシング３６によって覆われているが、結束テープＴに一体的に形成されたインレット内のＩＣチップあるいは結束テープＴに貼付されたラベルに一体的に形成されたインレット内のＩＣチップに、あらかじめ、固有のＩＤデータが書き込まれ、ＩＣチップが、書き込まれた固有のＩＤデータとともに、ＲＦＩＤライター３５から発信された電波以外は受信しないように構成されている場合には、紙幣帯封機構３０の帯封処理部３１およびＲＦＩＤライター３５が、ＲＦＩＤライター３５から発信される周波数の電波を遮蔽する材料によって形成されたケーシング３６によって覆われていることは必ずしも必要でない。
【０１６２】
さらに、前記実施態様においては、紙幣入金口２にセットされた紙幣のうち、受け入れ可能ではあるが、その金種が、オペレータが指定した金種とは異なると判別された真正な紙幣および汚損レベルが所定レベルを超えた汚損紙幣を返却する第二の紙幣返却口５を設けているが、これらのオペレータが指定した金種とは異なると判別された真正な紙幣および汚損レベルが所定レベルを超えた汚損紙幣は、受け入れ不能と判別された紙幣と同様に、第一の紙幣返却口４から返却するように構成して、第二の紙幣返却口５を省略することもできる。
【図面の簡単な説明】
【０１６３】
【図１】図１は、本発明の好ましい実施態様にかかる紙幣処理機の略縦断面図である。
【図２】図２は、図１に示された紙幣処理機の制御系、検出系、駆動系、入力系および表示系を示すブロックダイアグラムである。
【図３】図３は、本発明の別の好ましい実施態様にかかる紙幣処理機の略縦断面図である。
【図４】図４は、図３に示された紙幣処理機の制御系、検出系、駆動系、入力系および表示系を示すブロックダイアグラムである。
【符号の説明】
【０１６４】
１  ハウジング
２  紙幣入金口
３  紙幣束出金口
４  第一の紙幣返却口
５  第二の紙幣返却口
９  搬送路
１０  紙幣判別部
１０ａ  センサユニット
１０ｂ  ＲＦＩＤリーダー
１１  搬送路
１２  分岐搬送路
１３  ゲート部材
１４  分岐搬送路
１５  ゲート部材
１６  表裏反転搬送路
１７  ゲート部材
１８  ローラ対
２０  紙幣集積部
３０  紙幣帯封機構
３１ａ、３１ｂ  挟持部材
３１  帯封処理部
３２  結束テープ供給部材
３５  ＲＦＩＤライター
３６  ケーシング
４０  紙幣束搬送路
５０  ＣＰＵ
５１  ＲＯＭ
５２  ＲＡＭ
５３  時計
５５  中央管理サーバ
６０  繰り出しローラ駆動手段
６１  搬送ローラ駆動手段
６２  ローラ対駆動手段
６３  ソレノイド
６４  ソレノイド
６５  ソレノイド
６６  紙幣集積機構
６７  集積紙幣送出し手段
６８  モータ
６９  モータ
７０  ソレノイド
７１  ソレノイド
７２  モータ
７３  ＲＦＩＤライター駆動手段
７４  モータ
７５  搬送ローラ駆動手段
８０  キーボード
８５  ディスプレイ
９０  結束テープ供給部材
９１  フィルム供給部材
９２  ラベル貼付手段
９５  モータ
９６  モータ
９７  モータ
Ｔ  結束テープ
Ｆ  フィルム
【図１】
2007122120.tif 000003
【図２】
2007122120.tif 000004
【図３】
2007122120.tif 000005
【図４】
2007122120.tif 000006